【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
スラブ結晶と、
空洞フィルタ材料が、第１の周波数帯において受領した光エネルギーを、スラブ結晶によって吸収された第２の周波数帯において光エネルギーに変換するように、前記スラブ結晶の少なくとも片側に提供され、光源から光エネルギーを受領するように適合された、空洞フィルタ材料と
を備え、
前記スラブ結晶は、入射光ビームを前記スラブ結晶の一端の中にある角度で受領するように適合され、また増幅されたレーザビームを前記一端から前記ある角度と異なる角度で放射する、または前記光エネルギーを前記第２の周波数で吸収した後、前記入射光ビームから直線的にシフトされた、前記増幅されたレーザビームを放射する
レーザ装置。
【請求項２】
前記スラブ結晶は、前記スラブ結晶の水平軸に対して９０度ではない裏反射面を備える、請求項１に記載の装置。
【請求項３】
前記反射面は、二酸化ケイ素被覆、または前記レーザビームに対して調整されたもしくは周波数の選択挙動を含むが、前記励起ランプに透過する１／４波長積層の誘電多層を含む、請求項１または２に記載の装置。
【請求項４】
前記スラブ結晶は、前記スラブ結晶によって放射された前記出射レーザビームが、前記源からの前記光エネルギーの前記入射ビームからある角度または距離だけ分離されるように適合される、前記請求項１〜３のいずれか１項に記載の装置。
【請求項５】
前記第１の周波数は紫外線光周波数にあり、前記第２の周波数は紫外線光より小さい周波数である、請求項１〜４のいずれか１項に記載の装置。
【請求項６】
前記レーザ装置の以前の装置の増幅されたレーザビーム出力が、前記レーザ装置の次の装置への入力として作動するように、一連の光増幅器を形成する請求項１の複数の前記レーザ装置を備えるシステム。
【請求項７】
前記装置の構成要素を保持するように適合される一方で、前記装置の１つまたは複数の前記構成要素の熱膨張が可能である、複数の弾性保持部をさらに備える、請求項１〜６のいずれか１項に記載の装置。
【請求項８】
前記空洞フィルタ材料は、サマリウムでドープされたフッ化テルビウムを含む、請求項１〜７のいずれか１項に記載の装置。
【請求項９】
前記スラブ結晶はクロムをドープしたアレキサンドライトを含む、請求項１〜８のいずれか１項に記載の装置。
【請求項１０】
前記スラブ結晶および／または前記空洞フィルタ材料を前記スラブ結晶と前記空洞フィルタ材料との間に冷却液を循環させることによって冷却するために、前記装置内の前記冷却液を循環するように適合された冷却液循環サブシステムをさらに備える、請求項１〜９のいずれか１項に記載の装置。
【請求項１１】
前記一端は、前記スラブ結晶の隣接した片面に対して鋭角で提供され、前記スラブ結晶の反対側の隣接面に対して鈍角で提供される、請求項１〜１０のいずれか１項に記載の装置。
【請求項１２】
直列に配置された請求項１〜１１のいずれか１項に記載の複数の前記レーザ装置を備える光を増幅するシステム。
【請求項１３】
スラブ結晶と、
紫外線周波数帯を含む光エネルギーを提供する光源と、
サマリウムでドープされたフッ化テルビウムを含む空洞フィルタ材料であって、前記フィルタ材料は、前記スラブ結晶の少なくとも片面上に提供され、前記光源から前記光エネルギーを受領するように適合され、レーザビームを増幅するために前記スラブ結晶による吸収に対して、前記第１の紫外線周波数帯における前記光エネルギーを、可視光線の第２の周波数帯で光エネルギーに変換するように適合される、空洞フィルタ材料と
を備え、
前記スラブ結晶は、一端から前記増幅されたレーザビームを放射するように適合される
レーザ装置。
【請求項１４】
前記装置の構成要素を保持するように適合される一方で、前記装置の１つまたは複数の前記構成要素の熱膨張が可能である、複数の弾性保持部をさらに備える、請求項１３に記載の装置。
【請求項１５】
前記スラブ結晶および／または前記空洞フィルタ材料を前記スラブ結晶と前記空洞フィルタ材料との間に冷却液を循環させることによって冷却するために、前記装置内の前記冷却液を循環するように適合された冷却液循環システムをさらに備える、請求項１３または１４のいずれか１項に記載の装置。
【請求項１６】
前記スラブ結晶はクロムをドープしたアレキサンドライトを含む、請求項１３〜１５のいずれか１項に記載の装置。
【請求項１７】
前記増幅されたレーザビームは、その中にソースビームが増幅のために前記スラブ結晶に入る、前記スラブ結晶の同じ端部から放射され、その結果、前記放射されたレーザビームは、前記スラブ結晶から、前記ソースレーザビームが前記スラブ結晶に入る前記角度と異なる角度で放射される、または前記ソースビームが前記スラブ結晶に入る場所と異なる配置から放射される、請求項１３〜１６のいずれか１項に記載の装置。
【請求項１８】
前記裏反射面を含まない前記端部は、前記スラブ結晶の隣接する片面に対して鋭角で提供され、前記放射されたレーザビームが前記スラブ結晶から、前記ソースレーザビームが前記スラブ結晶に入る前記角度と異なる角度で放射されるように、前記スラブ結晶の反対側の隣接面に対して鈍角で提供される、請求項１７に記載のレーザ装置。
【請求項１９】
前記裏反射面を含まない前記端部は、前記スラブ結晶の隣接する片面に対して鋭角で提供され、前記スラブ結晶の反対側の隣接面に対して鈍角で提供される、請求項１３〜１８のいずれか１項に記載のレーザ装置。
【請求項２０】
スラブ結晶と、
紫外線周波数帯の一部および可視光線周波数の一部を含む光エネルギーを提供する光源と、
前記可視光線周波数帯に実質的に透過する空洞フィルタ材料であって、前記フィルタ材料は、前記スラブ結晶の少なくとも片面上に提供され、前記光源から前記光エネルギーを受領するように適合され、前記スラブ結晶による吸収に対して、前記第１の紫外線周波数帯における前記光エネルギーを、前記紫外線周波数帯より小さく変換された周波数帯で光エネルギーに変換するように適合される、空洞フィルタ材料と
を備え、
前記光源および前記空洞フィルタ材料は、前記可視光線周波数帯内の前記光エネルギーの前記一部の少なくとも一部が前記空洞フィルタを通って前記スラブ結晶に伝播されるように配置され、
前記スラブ結晶は、前記空洞フィルタを通って伝播された前記可視周波数帯内の前記光エネルギーの前記一部の一部を吸収し、かつ前記スラブレーザから放射するレーザビームを増幅するために、前記光エネルギーの一部を前記変換された周波数帯において吸収するように適合される
レーザ装置。
【請求項２１】
前記スラブ結晶はクロムをドープしたアレキサンドライトを含む、請求項２０に記載の装置。
【請求項２２】
前記空洞フィルタ材料は、サマリウムでドープされたフッ化テルビウムを含む、請求項２０または２１のいずれか１項に記載の装置。
【請求項２３】
前記増幅されたレーザビームは、ソースビームが増幅のために前記スラブ結晶に入る際に、前記スラブ結晶の同じ端部から放射され、その結果、前記放射されたレーザビームは、前記スラブ結晶から、前記ソースレーザビームが前記スラブ結晶に入る前記角度と異なる角度で放射される、請求項２０〜２２のいずれか１項に記載の装置。
【請求項２４】
正面に対して第１の角度で提供された入射光ビームを受領するために、前記スラブ結晶の底部に対して鋭角で提供された点を形成する、前記正面を有するスラブ結晶であって、前記スラブ結晶は、前記スラブ結晶の前記底部に対して９０度でない背面角で提供される後壁も有する、スラブ結晶と、
第１の周波数帯内の一部および第２の周波数帯内の一部を含む光エネルギーを提供する光源と、
前記第１の光周波数帯に透過し、前記スラブ結晶の前記頂部および／または前記底部上に提供され、前記光源から前記光エネルギーを受領するように適合され、また前記スラブ結晶による少なくとも部分的な吸収のために、前記第１の周波数帯における前記光エネルギーを変換された周波数帯において光エネルギーに変換するように適合される、空洞フィルタ材料と
を備え、
前記光源および前記空洞フィルタ材料は、前記第２の光周波数帯内の前記光エネルギーの前記一部の少なくとも一部が前記空洞フィルタを通って前記スラブ結晶に伝播されるように配置され、
前記スラブ結晶は、前記空洞フィルタを通って伝播される前記第２の周波数帯内の前記光エネルギーの前記部分の一部を吸収することにより、かつ前記変換された周波数帯における前記光エネルギーの一部を吸収することにより、前記スラブ結晶から放射するためのレーザビームを増幅するように適合され、
前記鋭角および前記背面角は、前記スラブ結晶に入る前記入射光ビームが前記スラブ結晶から放射された前記増幅されたレーザビームと一致しないように、前記増幅されたレーザビームが前記スラブ結晶の前記正面から、前記第１の角度と異なる角度で放射されるように選択される、レーザ装置。
【請求項２５】
筐体と、
スラブ結晶と、
第１の周波数帯および第２の周波数帯を含む光エネルギーをそれぞれが提供する複数の光源と、
空洞フィルタ材料が、第１の周波数帯において受領した光エネルギーを、スラブ結晶によって吸収された第２の周波数帯において光エネルギーに変換するように、前記スラブ結晶の少なくとも片側に提供され、光源から光エネルギーを受領するように適合された、空洞フィルタ材料と、
冷却液を循環させるための冷却サブシステムと
を備え、
前記空洞フィルタおよび前記スラブレーザは、前記循環冷却液が冷却のために前記スラブ結晶と前記空洞フィルタ材料との間を流れる手法で、前記筐体内に配置され、
前記スラブ結晶は、入射光ビームを前記スラブ結晶の一端の中にある角度で受領するように適合され、また増幅されたレーザビームを前記一端から前記ある角度と異なる角度で放射する、または前記光エネルギーを前記第２の周波数で吸収した後、前記入射光ビームから直線的にシフトされた、前記増幅されたレーザビームを放射する
レーザ装置。